(57)【特許請求の範囲】
【請求項１】
サーバおよび複数のクライアント端末がそれぞれネットワークに接続されたクライアント・サーバシステムにおいて、前記複数のクライアント端末にて前記サーバから配信された同じコンテンツの画面を表示するに際して、
前記サーバに保持されて前記クライアント端末に配信されるコンテンツに、該コンテンツに含まれる入力操作を非許可とする設定情報を付加し、
前記サーバは、前記コンテンツに含まれる入力操作を非許可に設定すべきクライアント端末には前記設定情報を有効とする制御用アプリケーションプログラムを転送し、一方、前記コンテンツに含まれる入力操作の全てを有効とすべきクライアント端末には前記設定情報を無効とする制御用アプリケーションプログラムを転送し、
前記各クライアント端末は、前記サーバから転送された制御用アプリケーションプログラムに従って前記コンテンツに付加された前記設定情報を有効または無効にして前記コンテンツに含まれる入力操作を許可または非許可に設定することを特徴とするコンテンツ表示方法。
【請求項２】
前記入力操作は、クライアント端末のブラウザに表示されるボタンまたはチェックボックスの押下、リストの選択およびテキストエリアへの文字入力により行うものである請求項１に記載のコンテンツ表示方法。
【請求項３】
前記サーバは、前記制御用アプリケーションプログラムを保持する制御アプリケーション用サーバと、前記コンテンツを保持するコンテンツサーバとからなるものである請求項１に記載のコンテンツ表示方法。
【発明の詳細な説明】
【技術分野】
【０００１】
本発明は、ネットワークを利用したクライアント・サーバシステムにおけるコンテンツ表示方法に係り、特にクライアント端末を操作する操作者のレベルまたはクライアント端末の種別に応じてコンテンツに含まれる入力操作を制御するコンテンツ表示方法に関する。
【背景技術】
【０００２】
従来から例えばインターネットやＬＡＮ等のネットワークに接続されたサーバと、このネットワークに接続されて前記サーバに対して種々の処理要求を求めるクライアント端末とからなるクライアント・サーバシステムが知られている（例えば、特許文献１を参照）。この種のクライアント・サーバシステムにあっては、クライアント端末が必要に応じてサーバにアクセスして所望の処理やデータのやりとり等を行う。例えばサーバが保持するデータをクライアント端末にて閲覧する場合、クライアント端末は、該サーバに対してデータを出力（ダウンロード）するよう求める。サーバは、このダウンロード要求を受けてネットワークを介してクライアント端末に所望のデータを提供する。一方、クライアント端末は、このデータを受けて、例えばディスプレイ装置に表示して閲覧する。
【０００３】
クライアント・サーバシステムにおいて、上述した方法を用いてサーバ側が保持するデータをクライアント端末にて閲覧するように構成した場合、サーバには例えばHTMLで記述された表示情報が用意されている。そしてクライアント端末は、必要に応じてサーバが保持するHTMLで記述された表示情報をダウンロードすると共に、クライアント端末のブラウザソフトウェア等を用いてダウンロードした情報をディスプレイ装置に表示する。
【０００４】
このようなサーバ・クライアントシステムを用いて、例えばインターネットショッピングシステムを構築した場合、オペレータが操作するクライアント端末と、顧客が操作する別のクライアント端末とで同じ画面表示をさせているので、オペレータが顧客の操作を支援することにより商品購入をスムーズに行うことができる。具体的には、オペレータが画面上で指示した内容（例えばマウスやカーソルの位置等）を双方のディスプレイ装置に表示し、その表示内容を相互に確認しながら商品購入を行うことができる。
つまりこのようなインターネットショッピングシステムは、オペレータが指示したマウスやカーソルの位置等が、顧客側のクライアント端末にも同期して反映されて、その操作支援を受けて顧客が商品購入ボタンを押下する等の操作がされる。或いは端末操作の不慣れな顧客に代わってオペレータが顧客と同じ画面を閲覧しながら商品番号や注文個数を入力する所謂、入力代行も行われている（例えば、特許文献２を参照）。このようなインターネットショッピングシステムにあっては、クライアント端末の操作に不慣れな顧客に対して、適切な操作（購入）支援を行えるという利点がある。
【特許文献１】特開２００１−１４２４４号公報
【特許文献２】特開２００２−１０９１４７号公報
【発明の開示】
【発明が解決しようとする課題】
【０００５】
上述したクライアント・サーバシステムを用いてインターネットショッピングシステムを構築した場合、オペレータ側のクライアント端末と、顧客側のクライアント端末とに同じ内容の情報が同期して表示される。このためオペレータ側のクライアント端末に表示された例えば商品購入ボタンや決済ボタン等をオペレータが故意または過失により押下してしまうという問題があった。
【０００６】
この問題を解決するにはオペレータ側のクライアント端末に表示される表示情報と、顧客側のクライアント端末に表示させる表示情報とを異ならせてサーバに保持し、それぞれのクライアント端末が必要な表示情報をサーバからダウンロードして実行すれば良い。しかしその反面、それぞれのクライアント端末に応じた表示情報を予め用意してサーバに保持する必要がある。そのためその表示情報の作成工数および保守工数の増加、表示情報の保存に要する記憶容量が増加する等の問題があった。
【０００７】
本発明は、このような従来の事情に対処してなされたものであり、その目的は、クライアント端末を操作する操作者のレベル（操作権限）またはクライアント端末の種別に応じて入力操作を制限することが可能なコンテンツ表示方法を提供することにある。
【課題を解決するための手段】
【０００８】
上述した目的を達成するため、本発明に係るコンテンツ表示方法は、サーバおよび複数のクライアントがそれぞれネットワークに接続されたクライアント・サーバシステムにおいて、前記複数のクライアント端末にて前記サーバから配信された同じコンテンツの画面を表示するに際して、
前記サーバに保持されて前記クライアント端末に配信されるコンテンツに、該コンテンツに含まれる入力操作を非許可とする設定情報を付加し、
前記サーバは、前記コンテンツに含まれる入力操作を非許可に設定すべきクライアント端末には前記設定情報を有効とする制御用アプリケーションプログラムを転送し、一方、前記コンテンツに含まれる入力操作の全てを有効とすべきクライアント端末には前記設定情報を無効とする制御用アプリケーションプログラムを転送し、
前記各クライアント端末は、前記サーバから転送された制御用アプリケーションプログラムに従って前記コンテンツに付加された前記設定情報を有効または無効にして前記コンテンツに含まれる入力操作を許可または非許可に設定することを特徴としている。
【０００９】
また前記入力操作は、クライアント端末のブラウザに表示されるボタンまたはチェックボックスの押下、リストの選択およびテキストエリアへの文字入力により行うものとして構成される。
好ましくは前記サーバは、前記制御用アプリケーションを保持するアプリケーションサーバと、前記コンテンツを保持するコンテンツサーバとから構成することが望ましい。
【発明の効果】
【００１０】
上述したように本発明のコンテンツ表示方法によれば、コンテンツ自体が該コンテンツに含まれる入力操作を非許可に設定する設定情報を備えると共に、クライアント端末は、コンテンツの表示に先立ってクライアント端末の種別に応じた制御アプリケーションプログラムを予めダウンロードし、上記コンテンツが備える設定情報を有効または無効とする。このためクライアント端末の種別毎に、コンテンツに含まれる例えばボタン、チェックボックス、リストおよびテキストエリア等の入力操作の許可または非許可を設定することが可能となる。
【００１１】
また本発明のコンテンツ表示方法を適用して上述したインターネットショッピングシステムを構築した場合、オペレータ側のクライアント端末と、顧客側のクライアント端末とに同じコンテンツの情報が同期して表示されたとしても、オペレータ側の例えば商品購入ボタン等の入力操作を無効としておくことができる。それ故オペレータは、オペレータ側のクライアント端末に表示された商品購入ボタン等を故意または過失によって押下することができなくなる。更には、オペレータ側のクライアント端末に表示されるコンテンツと、顧客側のクライアント端末に表示されるコンテンツとを別々に用意する必要がない。このため、コンテンツ作成や保守が容易であり、サーバのデータ保存容量が増加することがない。
【発明を実施するための最良の形態】
【００１２】
以下、本発明の一実施形態に係るコンテンツ表示方法に関し、図面を参照しながら説明する。図１は本発明の一実施形態に係るコンテンツ表示方法が適用されるクライアント・サーバシステムの概略構成を示す図である。この図において１は、例えばＬＡＮまたはインターネット等のネットワーク（通信回線）である。詳細は後述するがネットワーク１は、例えば複数のクライアント端末１０、制御アプリケーション用サーバ２０およびコンテンツサーバ３０がそれぞれ接続されて所謂、クライアント・サーバシステムが構築される。ちなみに図１は、オペレータと顧客とが操作するクライアント端末１０がそれぞれに設けられてインターネットショッピングシステムを構成した一例を示すものである。尚、図１は本発明における実施形態の一例を示すものであって、この図によって本発明の範囲が制限されるものではない。
【００１３】
さて制御アプリケーション用サーバ２０には、詳細は後述するがクライアント端末１０に転送されるコンテンツの作動（表示制御）を司る制御用アプリケーションプログラム２１がプログラム記憶部２２に保持されている。この制御用アプリケーションプログラム２１は、クライアント端末１０を操作する操作者のレベルやクライアント端末１０の種別に応じて用意されたものであって、クライアント端末１０にネットワーク１を介してダウンロードされるようになっている。詳しくは制御用アプリケーションプログラム２１は、後述するコンテンツ３１に含まれる入力操作を非許可に設定する設定情報を有効とする制御用アプリケーションプログラム２１ａと、この設定情報を無効とする制御用アプリケーションプログラム２１ｂとからなっている。
【００１４】
またコンテンツサーバ３０には、制御アプリケーション用サーバ２０からダウンロードした制御用アプリケーションプログラム２１によって作動するコンテンツ３１を保持するコンテンツ記憶部３２が設けられている。このコンテンツ３１は、クライアント端末１０からの配信要求によってネットワーク１を介して該クライアント端末１０に配信される。また詳細は後述するが、このコンテンツ３１には、クライアント端末１０がダウンロードした制御用アプリケーションプログラム２１によって当該コンテンツ３１に含まれる入力操作を非許可に設定するための設定情報が設けられている。
【００１５】
一方、クライアント端末１０には、クライアント端末１０の操作者からの入力操作を受け付ける操作入力部１１（例えばキーボード等）および該クライアント端末１０の操作者にメッセージ等を表示する表示部１２（例えばディスプレイ装置）が設けられている。またクライアント端末１０には、ネットワーク１に接続されたコンテンツサーバ３０から所望のコンテンツ３１を取り出して表示するブラウザソフト１３と、このブラウザソフト１３を保持するクライアント記憶部１４が設けられている。
【００１６】
概略的には上述したように構成されたクライアント・システムにおいて本発明に係るコンテンツ表示方法が特徴とするところは、クライアント端末１０を操作する操作者のレベル（操作権限）やクライアント端末の種別に応じた制御用アプリケーションプログラム２１ａ,２１ｂの一方を制御アプリケーション用サーバ２０からダウンロードする点、コンテンツ３１が該コンテンツに含まれる入力操作を非許可に設定するための設定情報を備える点、および前記制御用アプリケーションプログラム２１ａ,２１ｂにて前記設定情報を有効若しくは無効とし、これによって前記クライアント端末１０における前記コンテンツ３１の入力操作を許可または非許可に設定する点にある。
【００１７】
このような特徴ある本発明に係るコンテンツ表示方法に関し、コンテンツ３１に組み込まれた入力操作を非許可に設定するための設定情報の一例を、図２およびクライアント端末１０の作動を示す図３のフローチャートを参照しながら解説する。尚、図２に示すHTMLで記述されたコンテンツにあっては、説明の便宜上、各行の左端に行番号［１〜１１］を付与してある。
【００１８】
さて制御アプリケーション用サーバ２０に保持される制御用アプリケーションプログラム２１は、例えばJava（登録商標）スクリプトが用いられる。そしてコンテンツ３１に含まれる入力操作の非許可の設定は、METAタグを用いて行う。このMETAタグは、コンテンツそのものに影響を与えるものでなく、本発明はこの点に着目してなされたものである。
具体的にブラウザソフト１３によってクライアント端末１０の表示部１２に表示されるボタン（入力操作）を無効化する場合、この無効化するボタンを特定するべくコンテンツ３１内にMETAタグを記述する。このMETAタグは、図２の行番号［３］および行番号［４］に示すように、入力操作（ボタン）を特定する属性として、無効化すべき入力操作（ボタン）に付与するNAMEの属性と同一の値を設定する。ここでは、無効化するボタンのNAMEの属性と同一の値として行番号［３］にあっては、"MUKOU"の値を、行番号［４］にあっては"MUKOU2"の値を設定している。そしてボタンを無効化するためのMETAタグであることを宣言すべく、IDの属性に"IWATSU"なる識別子を設定している。尚、これら値および識別子は、図２に記載した"MUKOU"、"MUKOU2"および"IWATSU"に限定されるものではなく、任意の文字または文字列により構成してもかまわない。勿論、この文字または文字列は、数字や記号を含むものとして構成してもよいことは言うまでもない。
【００１９】
そして行番号［７］は、行番号［３］で宣言したMETAタグのNAME属性と同一の値である"MUKOU"を設定し、ボタンが無効であることを宣言している。また行番号［８］は、行番号［４］で宣言したMETAタグのNAME属性と同一の値である"MUKOU2"を設定している。このようにコンテンツ３１内に無効化したい入力操作の設定情報を予め登録しておく。
ちなみに図２に示すコンテンツを説明すると行番号［１，１１］は、コンテンツがHTMLであることを示すタグであり、行番号［２，５］は、行番号［３，４］がヘッダ部であることを示すタグであり、行番号［６，１０］は、行番号［７〜９］が本文部（ボディ）であることを示すタグである。
【００２０】
そしてヘッダ部である行番号［３，４］には、上述したように無効化するボタンNAMEの値および無効化のMETAタグを示す識別子がIDにそれぞれ宣言されている。また、本文部である行番号［７〜９］において、行番号［７］には、入力する操作表示がボタンであることを示す入力タイプ（INPUT TYPE="button"）と共に、このボタンを無効化するNAMEの値（NAME="MUKOU"）が記述されている。また、行番号［８］には、このボタンに割り当てられた参照先のURL(A HREF=http://www.jpo.go.jp/indexj.htm)と共に、このURLを無効化すべくNAMEの値（NAME="MUKOU2"）が記述されている。このように無効化の設定対象となるボタンにあっては、"NAME"に記述された値とMETAタグに付けられたNAMEの値が一致するよう予めコンテンツ内に記述しておく。
【００２１】
一方クライアント端末１０は、上述したようにしてコンテンツサーバ３０のコンテンツ記憶部３２に保持されたコンテンツ３１をダウンロードして表示するに先立って、制御アプリケーション用サーバ２０から制御用アプリケーションプログラム２１のダウンロードを要求する［ステップＳ１］。クライアント端末１０からダウンロード要求を受けた制御アプリケーション用サーバ２０は、クライアント端末１０の種別を判定する［ステップＳ２］。この種別の判定については、前述した特許文献２の入力代行システムに紹介されるような周知の手法を採用することができる。そして制御アプリケーション用サーバ２０は、ボタンの無効化が必要であると判定したクライアント端末１０に対しては、前記制御情報を有効とする制御用アプリケーションプログラム２１ａを転送する［ステップＳ３］。一方、制御アプリケーション用サーバ２０は、ボタンの無効化が不要であると判定したクライアント端末１０に対して前記制御情報を無効とする制御用アプリケーションプログラム２１ｂを転送する［ステップＳ４］。
【００２２】
具体的には、ステップＳ３でオペレータ側のクライアント端末１０には、ステップＳ３でボタンを無効化するべく前記設定情報を有効とする制御用アプリケーションプログラム２１ａを転送する一方、顧客側のクライアント端末１０には、ステップＳ４で前記設定情報を無効とする制御用アプリケーションプログラム２１ｂを転送する。
このようにしてそれぞれのクライアント端末１０は、当該クライアント端末１０の種別に応じた制御用アプリケーションプログラム２１の一方をダウンロードした後、コンテンツサーバ３０のコンテンツ記憶部３２に保持されたコンテンツ３１をダウンロードする［ステップＳ５］。
【００２３】
すると前記設定情報を用いてボタンを無効化する制御用アプリケーションプログラム２１ａをダウンロードしたオペレータ側のクライアント端末１０は、制御用アプリケーションプログラム２１ａにより、先ずコンテンツ３１内にMETAタグがあるかどうかを判定する［ステップＳ６］。このときオペレータ側のクライアント端末１０は、制御用アプリケーションプログラム２１によりコンテンツ３１内に無効化対象とするMETAタグのID（例えばID="IWATSU")がないと判定した場合、ステップＳ６〜ステップＳ９のループを抜けて処理を終了する。
【００２４】
一方、ステップＳ６でオペレータ側のクライアント端末１０は、コンテンツ３１内に無効化対象とするMETAタグのID（例えばID="IWATSU")がある場合、そのMETAタグにおけるNAMEの値が宣言され、かつ、入力する操作表示がボタンであることを示す入力タイプ（INPUT TYPE="button"）と共に、このMETAタグに記載されたボタンを無効化するNAMEの値（NAME="MUKOU"）が一致するかどうかを判定する［ステップＳ７］。次いでクライアント端末１０は、ステップＳ７で、METAタグに記載されたボタンを無効化するNAMEの値と、ボタンに記載されたNAMEの値が等しいと判定した場合、そのボタンを無効とする［ステップＳ８］。一方、クライアント端末１０は、ステップＳ７でMETAタグに記載されたNAMEの値と、ボタンに記載されたNAMEの値が等しくないと判定した場合、該ボタンを無効化しない。以降、クライアント端末１０は、コンテンツサーバ３０から転送されたコンテンツ３１内に含まれるボタン無効化のMETAタグの有無を調べることを繰り返す［ステップＳ９］。
【００２５】
なお、顧客側のクライアント端末１０にダウンロードした制御用アプリケーションプログラム２１ｂは、前記制御情報自体を無効とするものなので、上述したボタンを無効にする処理を行なわず、METAタグに記載された値および識別子を無視する。つまり顧客側のクライアント端末１０は、ボタン入力操作を行うことができる。
かくして上述したように構成した本発明に係るコンテンツ表示方法によれば、コンテンツサーバ３０に保持された上記コンテンツ３１にボタン操作を非許可（無効）とするMETAタグを記述してあるので、クライアント端末１０を操作する操作者のレベルやクライアント端末の種別に応じた制御用アプリケーションプログラム２１を制御アプリケーション用サーバ２０からダウンロードしておけば、前記設定情報を有効または無効とするので、同一コンテンツでありながらそのコンテンツに含まれる入力操作を許可または非許可とすることができる。つまり、コンテンツサーバ３０には、入力操作の許可または非許可の設定の有無によらず共通のコンテンツ３１を用意すれば足りる。このため本発明に係るコンテンツ表示方法は、コンテンツ３１の作成・保守を容易に行うことが可能となると共に、クライアント端末１０を操作する操作者のレベル（操作権限）に応じてクライアント端末１０の入力操作を制限することが可能となる。
【００２６】
尚、本発明は上述した実施形態にとらわれることなく、種々変形して実施することが可能である。例えば、上述した実施形態にあっては、理解を容易にするために制御アプリケーション用サーバ２０とコンテンツサーバ３０とをそれぞれ用意したクライアント・サーバシステムを例示したが、制御アプリケーション用サーバ２０とコンテンツサーバ３０とを一つのサーバにまとめたシステムとして構築しても勿論かまわない。このようにサーバを一元化すればより簡易にシステムを構築することが可能となる。
【００２７】
また、上述した実施形態においては、クライアント端末１０が予め制御アプリケーション用サーバ２０から制御用アプリケーションプログラム２１をダウンロードした後、コンテンツサーバ３０が保持するコンテンツ３１を表示する形態を例示したが、コンテンツ３１内に制御アプリケーション用サーバ２０が保持する制御用アプリケーションプログラム２１をダウンロードする指示を組み込んでもよい。この場合、クライアント端末１０の操作者は、制御用アプリケーションプログラム２１のダウンロードを意識することなくボタン操作の許可または非許可を自動的に設定することが可能となりより好ましい。
【００２８】
尚、上述した実施形態は、コンテンツ３１内にあるボタンを無効化する処理を例示したが、その他、ブラウザから入力操作が可能であるテキストボックス、リスト、ラジオボタン、チェックボックスおよびテキストエリア等にも本発明に係るコンテンツ表示方法の適用が可能である。具体的には、図４にこれらの入力操作を非許可とする設定例を示すようにコンテンツ３１内にMETAタグを記述すればよい。ちなみに、この図に示すHTMLで記述されたコンテンツにあっては、説明の便宜上、各行の左端に行番号［１００〜１９０］を付与してある。
【００２９】
この図において行番号［１００，１９０］がHTMLであることを示すタグであり、行番号［１１０〜１１６］が無効化を示すMETAタグ、行番号［１２０〜１８０］が本文部（ボディ）である。この本文部のうち、行番号［１３０〜１３２］がテキストボックスの無効化、行番号［１４０〜１４６］がリストの無効化、行番号［１５０〜１５４］がラジオボタンの無効化、行番号［１６０〜１６２］がチェックボックスの無効化、行番号［１７０〜１７２］がテキストエリアの無効化をそれぞれ示している。ちなみに本文部において、行番号［１３０，１４０，１５０，１６０，１７０］は、何についての無効化処理を行っているのかをわかりやすく明示したコメント文であり、行番号［１３２，１４６，１５４，１６２，１７３］は、隣り合う処理（入力操作）の表示がクライアント端末１０の表示部１２において見やすくなるように空白の一行を追加するブランクである。
【００３０】
さて、この図において行番号［１１０〜１１６］のヘッダ部には、入力操作を無効にするMETAタグが記載されている。先ず行番号［１１１］には、テキストボックスを無効にするNAME（NAME="HOSHI"）とID（ID="IWATSU"）が記載されている。次に行番号［１１２］には、リストを無効にするNAME（NAME="DAENN"）とID（ID="IWATSU"）が記載されている。行番号［１１３］には、ラジオボタンを無効にするNAME（NAME="MARU"）とID（ID="IWATSU"）が記載されている。行番号［１１４］には、チェックボックスを無効にするNAME（NAME="SHIKAKU"）とID（ID="IWATSU"）が記載されている。そして行番号［１１５］には、テキストエリアを無効にするNAME（NAME="SANKAKU"）とID（ID="IWATSU"）が記載されている。尚、これらのNAMEおよびIDは、上述した文字列に限定されるものではなく、任意の文字または文字列により構成してもかまわない。勿論、この文字または文字列は、数字や記号を含むものとして構成してもよい。
【００３１】
行番号［１３１］には、テキストボックスを示すタイプ宣言文のINPUT TYPE="text"と共に、このテキストボックスを無効にするNAMEの値であるNAME="HOSHI"が記載される。
行番号［１４１］には、リストを示すタイプ宣言のSELECTと、その大きさを示すSIZEの値であるSIZE="1"を宣言すると共に、このリストを無効にするNAMEの値であるNAME="DAENN"が記載される。また行番号［１４２〜１４４］にはリストの内容を示すオプション、行番号［１４５］にはリスト宣言の終わりを示すタグが記載されている。
【００３２】
行番号［１５１〜１５３］には、ラジオボタンを示すタイプ宣言のINPUT TYPE="radio"と共に、それぞれラジオボタンを無効にするNAMEの値であるNAME="MARU"が記載されている。
行番号［１６１］には、チェックボックスを示すタイプ宣言のINPUT TYPE="checkbox"と共に、チェックボックスを無効にするNAMEの値であるNAME="SHIKAKU"が記載されている。
【００３３】
行番号［１７１］には、テキストエリアを示す宣言であるTEXTAREAと、このテキストエリアの行数および列数を示すROWS="8"（８行）、COLS="30"（３０列）と共に、このテキストエリアを無効にするNAMEの値であるNAME="SANKAKU"が記載されている。そして行番号［１７２］には、テキストエリア宣言の終わりを示すタグが記載されている。
このように無効にしたい入力操作に関して、予めMETAタグにNAMEの値と、無効化のMETAタグであることを識別するID（識別子）を宣言することで、クライアント端末１０を操作する操作者のレベル（操作権限）に応じてクライアント端末１０側の制御を制限することが可能となる。
【図面の簡単な説明】
【００３４】
【図１】本発明の一実施形態に係るコンテンツ表示方法が適用されるクライアント・サーバシステムを示す図。
【図２】本発明の一実施形態に係るコンテンツ表示方法においてボタンを無効化するコンテンツに記載されるMETAタグの一例を示すリスト。
【図３】本発明の一実施形態に係るコンテンツ表示方法においてボタン無効化処理工程を示すフローチャート。
【図４】本発明の別の実施形態に係るコンテンツ表示方法において入力操作を無効にするMETAタグの一例を示す図。
【符号の説明】
【００３５】
１０      クライアント端末
１２      表示部
２０      制御アプリケーション用サーバ
２１      制御用アプリケーションプログラム
３０      コンテンツサーバ
３１      コンテンツ
【図１】
0004720971.tif 000002
【図２】
0004720971.tif 000003
【図３】
0004720971.tif 000004
【図４】
0004720971.tif 000005